(57)【要約】【課題】建物への取付と取外しの作業負荷を軽減する。【解決手段】取付治具１は、建物の外部に設けられる足場Ｆに取り付けられる壁つなぎ部材１０と、建物とを接続する。取付治具１は、建物のフレーム２２に係合するフック部２Ａを有するベース部材２と、ベース部材２に対し回動可能に設けられ、ベース部材２に対して閉じた状態においてフック部２Ａとフレーム２２との係合を固定し、ベース部材２に対して開いた状態においてフック部２Ａとフレーム２２との係合を解除可能とする回動部材３と、ベース部材２と回動部材３のうち少なくとも一方に設けられ、壁つなぎ部材１０に接続される接続部４と、を備える。【選択図】図９
2017180032.tif 000002
【特許請求の範囲】
【請求項１】
建物の外部に設けられる足場に取り付けられる足場つなぎ部材と、前記建物とを接続する足場つなぎ部材用取付治具であって、
前記建物の躯体に係合する係合部を有する第１部材と、
前記第１部材に対し回動可能に設けられ、前記第１部材に対して閉じた状態において前記係合部と前記躯体との係合を固定し、前記第１部材に対して開いた状態において前記係合部と前記躯体との係合を解除可能とする第２部材と、
前記第１部材と前記第２部材のうち少なくとも一方に設けられ、前記足場つなぎ部材に接続される接続部と、を備えることを特徴とする足場つなぎ部材用取付治具。
【請求項２】
前記係合部は、鉤状のフック部であり、
前記第２部材は、前記第１部材に対して閉じた状態において前記フック部と閉曲面を構成し、前記第１部材に対して開いた状態において前記フック部と開曲面を構成することを特徴とする請求項１に記載の足場つなぎ部材用取付治具。
【請求項３】
前記第１部材の端部に前記接続部が設けられることを特徴とする請求項１又は２に記載の足場つなぎ部材用取付治具。
【請求項４】
前記係合部は、前記第１部材において前記接続部が設けられる端部とは反対側の端部に設けられることを特徴とする請求項３に記載の足場つなぎ部材用取付治具。
【請求項５】
前記第１部材に対し前記第２部材を閉じた状態でのロックが可能なロック機構を備えることを特徴とする請求項１乃至４のいずれかに記載の足場つなぎ部材用取付治具。
【請求項６】
前記第１部材と前記第２部材の回動軸となる固定軸部と、
前記第１部材と前記第２部材の両者を貫通する貫通孔に挿通可能な固定ピンと、を備え、
前記固定ピンを前記貫通孔に挿通した場合に、前記第１部材に対し前記第２部材が閉じた状態でロックされ、
前記固定ピンを前記貫通孔から抜き取った場合に、前記第１部材に対し前記第２部材を閉じた状態のロックが解除されることを特徴とする請求項５に記載の足場つなぎ部材用取付治具。
【請求項７】
前記貫通孔は、前記係合部よりも前記接続部に近い位置に設けられることを特徴とする請求項６に記載の足場つなぎ部材用取付治具。
【発明の詳細な説明】
【技術分野】
【０００１】
本発明は、建物の足場に取り付けられる足場つなぎ部材と、建物とを接続する足場つなぎ部材用取付治具に関する。
【背景技術】
【０００２】
建設中の建物の周囲に設けられた仮設足場を建物の躯体（壁等）につなぐ足場つなぎ部材は、既に周知のものであり、一般に壁つなぎ部材と称される。また、足場つなぎ部材用の取付治具も公知であり、例えば特許文献１には、壁つなぎ部材の取付治具について開示されている。
【先行技術文献】
【特許文献】
【０００３】
【特許文献１】特開平９−１０５２３０号公報
【発明の概要】
【発明が解決しようとする課題】
【０００４】
上記の従来技術においては、壁つなぎ部材の取付治具は、建物の壁材より外側においては壁つなぎ部材に接続用のネジを用いて連結し、建物の壁材より内側においては建物の鉄骨梁に形成された梁孔にボルトを用いて締結されている。このように、壁つなぎ部材の取付治具の取り付け及び取外しは建物の内外においてそれぞれ作業が必要であり、それらの作業負荷を軽減することが課題となっている。
【０００５】
本発明は上記の課題に鑑みてなされたものであって、その目的は、建物への取付と取外しの作業負荷を軽減することができる足場つなぎ部材用取付治具を提供することにある。
【課題を解決するための手段】
【０００６】
前記課題は、建物の外部に設けられる足場に取り付けられる足場つなぎ部材と、前記建物とを接続する足場つなぎ部材用取付治具であって、前記建物の躯体に係合する係合部を有する第１部材と、前記第１部材に対し回動可能に設けられ、前記第１部材に対して閉じた状態において前記係合部と前記躯体との係合を固定し、前記第１部材に対して開いた状態において前記係合部と前記躯体との係合を解除可能とする第２部材と、前記第１部材と前記第２部材のうち少なくとも一方に設けられ、前記足場つなぎ部材に接続される接続部と、を備えることを特徴とする足場つなぎ部材用取付治具により解決される。
【発明の効果】
【０００７】
本発明に係る足場つなぎ部材用取付治具によれば、建物への取付と取外しの作業負荷を軽減することができる。
【図面の簡単な説明】
【０００８】
【図１】壁つなぎ部材と取付治具の使用状態を説明する図である。
【図２】壁つなぎ部材と取付治具による単管とフレームの接続状態を説明する図である。
【図３】取付治具の正面図である。
【図４】取付治具の上面図である。
【図５】取付治具の右側面図である。
【図６】取付治具の左側面図である。
【図７】取付治具の分解図である。
【図８】取付治具をフレームから取外し可能な状態を示す図である。
【図９】取付治具をフレームに固定した状態を示す図である。
【発明を実施するための形態】
【０００９】
以下、図１乃至図９に基づき、本発明の一実施形態（以下、本実施形態）について説明する。なお、以下に説明する実施形態は、本発明の理解を容易にするためのものであり、本発明を限定するものではない。すなわち、本発明は、その趣旨を逸脱することなく、変更、改良され得ると共に、本発明にはその等価物が含まれることは勿論である。
【００１０】
本実施形態は、戸建て住宅を建物の一例として説明するが、本発明は戸建て住宅に限らず、集合住宅、商業ビル、工場の建屋、施設、店舗等の建物に対しても適用可能である。
【００１１】
まず、図１及び図２に基づいて、壁つなぎ部材１０（足場つなぎ部材の一例）と、壁つなぎ部材１０を住宅に取り付けるための取付治具１（足場つなぎ部材用取付治具の一例）について説明する。
【００１２】
住宅を建設する際には、住宅の周囲には足場Ｆが設けられる。図１に示されるように、足場Ｆは、足場の骨組みをなす単管Ｆｂと、単管Ｆｂによって指示される足場板Ｆｔとを備える。
【００１３】
壁つなぎ部材１０は、住宅の壁パネル２０の周囲に構築される足場Ｆを、住宅につなぐために用いられる。図１に示されるように、壁つなぎ部材１０は、一方の端部に単管Ｆｂに嵌合する嵌合部１１を有し、嵌合部１１と反対側の端部においては、取付治具１の端部をなす雄ネジが螺合する雌ねじ部１２を有する。
【００１４】
また、取付治具１の少なくとも一部は、住宅の壁パネル２０の隙間である目地２１に配置されている。図１に示す例においては、縦目地（垂直方向に形成された目地）に取付治具１を配置しているが、横目地（水平方向に形成された目地）に取付治具１を配置してもよい。
【００１５】
図２に示されるように、取付治具１は一端が壁つなぎ部材１０の雌ねじ部１２に取り付けられるとともに、他端が建物の躯体を構成するフレーム２２に取り付けられる。ここで、フレーム２２は、壁パネル２０よりも内側（すなわち足場Ｆとは反対側）に配置される建物の梁、床、壁、ワイヤー、パイプ等の骨組みであり、金属（鉄等）、コンクリート、木等の材料から構成されることとしてよい。なお、本実施形態では、フレーム２２を、金属製のワイヤーであることとするが、これに限定されるものではない。
【００１６】
図１及び図２に示されるように、取付治具１の一部は、目地２１から外側（すなわち足場Ｆ側）に露出している。そして、後述するように取付治具１の建物からの露出部分を操作することにより、取付治具１のフレーム２２への取り付け、及び取外しを行うことができる。
【００１７】
以下、図３乃至図９に基づいて、取付治具１の構成及びフレーム２２への取り付け及び取外し作業について説明する。
【００１８】
図３には、取付治具１の正面図を、図４には、取付治具１の上面図を、図５には、取付治具１の右側面図（足場Ｆ側の側面）を、図６には取付治具１の左側面図（建物側の側面）を示した。
【００１９】
図７には、取付治具１の分解図を示した。図８には、取付治具１をフレーム２２から取り外し可能な状態（又は取り付け前の状態）を、図９には、取付治具１をフレーム２２に固定した状態を示した。
【００２０】
図３乃至図７に示されるように、取付治具１は、ベース部材２（第１部材の一例）及び回動部材３（第２部材の一例）を備える。ベース部材２と回動部材３とは、固定軸部５において連結されており、固定軸部５を中心に回動部材３がベース部材２に対して回動するようになっている。なお、以下において、ベース部材２と、回動部材３のフック開閉部３Ａとの対向する面同士を当接させた状態を、ベース部材２と回動部材３とを閉じた状態とする。また、ベース部材２と、回動部材３のフック開閉部３Ａとの対向する面同士が離間した状態であることを、ベース部材２と回動部材３が開いた状態とする。また、取付治具１を構成するベース部材２、回動部材３はそれぞれ金属製とするが、金属製に限定されず、少なくとも一部を木製、樹脂製等の他の材料を用いてもよい。
【００２１】
ベース部材２における建物側の端部には、鉤状のフック部２Ａが形成される。このフック部２Ａは、フレーム２２に係合する係合部となる。例えば、ベース部材２と回動部材３とを閉じた状態において、フック部２Ａとフック開閉部３Ａとにより構成される閉曲面（実質的に閉曲面となる部分）の内部にフレーム２２が収まるように、フック部２Ａのサイズを定めることとしてよい。
【００２２】
また、ベース部材２における足場Ｆ側の端部には、接続部４が形成される。接続部４は、ねじ山が形成された雄ねじ部であり、壁つなぎ部材１０の雌ねじ部１２に螺合させることで、取付治具１を壁つなぎ部材１０に取り付けることができる。
【００２３】
回動部材３は、フック開閉部３Ａと連結部３Ｂにより構成される。図６に示されるように、連結部３Ｂは、フック開閉部３Ａの切欠き部の間に挟持された状態で接合されている。なお、フック開閉部３Ａと連結部３Ｂとの接合は、接着剤を用いた接着、締結具による固定、溶接等により行うこととしてよい。
【００２４】
また、図４に示されるように、ベース部材２の上面には、接続部４が形成される側の端部から中央部に渡って切欠き部２Ｂが形成されており、切欠き部２Ｂの内部に回動部材３の連結部３Ｂが配置される。ここで、固定軸部５を中心として連結部３Ｂが回動する場合に、連結部３Ｂが切欠き部２Ｂの内壁と当接しないように、切欠き部２Ｂが連結部３Ｂよりも幅が広くなっている。
【００２５】
また、図７に示されるように、ベース部材２には、貫通孔５Ａ及び貫通孔６Ａが形成され、回動部材３の連結部３Ｂには貫通孔５Ｂ及び貫通孔６Ｂが形成されている。ここで、ベース部材２と回動部材３とを閉じた状態において、貫通孔５Ａと貫通孔５Ｂ、貫通孔６Ａと貫通孔６Ｂとが正面視において重なる位置に配される。
【００２６】
そして、ベース部材２の貫通孔５Ａと、連結部３Ｂの貫通孔５Ｂとが重なるようにベース部材２と回動部材３を配置した状態において、貫通孔５Ａと貫通孔５Ｂにリベットを挿通し、リベットの頭部とは反対側の端部をかしめることにより、固定軸部５が形成される。
【００２７】
また、ベース部材２と回動部材３とを閉じた状態において、貫通孔６Ａと貫通孔６Ｂに対し、図７に示す固定ピン７を挿通することで、ベース部材２に対する回動部材３の回動を規制（ロック）することができる。一方、固定ピン７を貫通孔６Ａ及び貫通孔６Ｂから抜き取ることで、ベース部材２に対する回動部材３の回動の規制を解除することができる。
【００２８】
次に、図８及び図９に基づいて、取付治具１をフレーム２２に取り付ける作業について説明する。
【００２９】
図８に示されるように、ベース部材２に対して回動部材３を開いた状態において、ベース部材２の端部に設けられた接続部４を、壁つなぎ部材１０の雌ねじ部１２に取り付けるとともに、ベース部材２のフック部２Ａをフレーム２２に係止させる。
【００３０】
次に、図９に示されるように、ベース部材２に対して回動部材３を閉じた状態にまで、回動部材３を回動させた上で、固定ピン挿通孔６に固定ピン７を挿通することにより、ベース部材２と回動部材３の回動状態を固定する。これにより、フレーム２２に対して取付治具１を固定することができる。
【００３１】
また、取付治具１をフレーム２２から取り外す場合には、固定ピン７を固定ピン挿通孔６から引き抜くことにより、取付治具１が図９から図８の状態に移行する。これにより、ベース部材２とフレーム２２との係合状態は容易に解除することができる。
【００３２】
なお、図１及び図２に示されるように、固定ピン挿通孔６は壁パネル２０よりも足場Ｆ側に露出しているため、足場Ｆ側から取付治具１のフレーム２２への取り付け及び取外しを容易に行うことができる。これにより、取付治具１の取り付け及び取外しのために、建物側に入ることなく、足場Ｆ側から作業を行うことができる。
【００３３】
以上説明した取付治具１によれば、取付治具１の建物への取付と取外しが容易となる。また、取付治具１の再利用を容易とすることができる。
【００３４】
また、上記の取付治具１では、取付治具１を建物のフレーム２２から外れないように係合させた状態とその状態からの解除を簡単な構成により実現できる。
【００３５】
また、上記の取付治具１では、壁つなぎ部材１０と建物のフレーム２２を接続するベース部材２を固定した状態で、回動部材３を回動させ、ベース部材２に対して回動部材３が閉じた状態で回動部材３の回動をロックすることで、取付治具１をフレーム２２に固定することができる。これにより、取付治具１の取付の作業性を向上させることができる。また、足場Ｆと建物との接続を安定させることができる。
【００３６】
また、上記の取付治具１では、フック部２Ａを、ベース部材２において接続部４が設けられる端部とは反対側の端部に設けられることで、取付治具１を小型化することができる。
【００３７】
また、上記の取付治具１では、ベース部材２に対し回動部材３を閉じた状態でのロックが可能なロック機構を簡単な構成により実現できる。
【００３８】
また、上記の取付治具１では、固定ピン挿通孔６は、フック部２Ａよりも接続部４に近い位置に設けるようにしたことで、ベース部材２と回動部材３の回動状態のロック作業を足場Ｆに近い側で実行することができる。これにより、建物の外側から取付治具１のフレーム２２への取付及び取外しを行うことができる。
【００３９】
また、上記の取付治具１では、ベース部材２と回動部材３の少なくとも一部は、建物の壁パネル２０の目地２１に配置されるものとしたことで、壁パネル２０を損傷させることなく、足場Ｆと建物とを接続することができる。
【００４０】
また、上記の取付治具１では、ベース部材２に接続部４及びフック部２Ａを設けたが、フック部２Ａは回動部材３に設けられてもよいし、ベース部材２と回動部材３の両方に設けられてもよい。また、接続部４は回動部材３に設けられてもよい。
【００４１】
また、上記の取付治具１のフック部２Ａの先端部を、フレーム２２に形成された孔に挿通した状態で、ベース部材２と回動部材３との回動状態をロックすることにより、取付治具１をフレーム２２に取り付けることとしてもよい。具体的には、フレーム２２が梁である場合に、梁に形成されたボルト孔にフック部２Ａの先端部を挿通した状態において、ベース部材２と回動部材３との回動状態をロックすることにより、取付治具１を梁に固定することとしてよい。
【００４２】
また、上記の取付治具１においては、ベース部材２に対する回動部材３の回動をロックするロック機構を、固定ピン７を固定ピン挿通孔６に挿通することにより実現することとしたが、上記のロック機構はこれに限定されない。例えばベース部材２と回動部材３とを閉じた状態において、両者をバンドで巻回することにより、ベース部材２に対する回動部材３の回動を規制するようにしてもよい。
【００４３】
［付記］
本発明の代表的な態様は以下の通りである。
【００４４】
本発明に係る足場つなぎ部材用取付治具は、建物の外部に設けられる足場に取り付けられる足場つなぎ部材と、前記建物とを接続する足場つなぎ部材用取付治具であって、前記建物の躯体に係合する係合部を有する第１部材と、前記第１部材に対し回動可能に設けられ、前記第１部材に対して閉じた状態において前記係合部と前記躯体との係合を固定し、前記第１部材に対して開いた状態において前記係合部と前記躯体との係合を解除可能とする第２部材と、前記第１部材と前記第２部材のうち少なくとも一方に設けられ、前記足場つなぎ部材に接続される接続部と、を備える。
こうすることで、建物の外部に設けられる足場に取り付けられる足場つなぎ部材と、建物とを接続する足場つなぎ部材用取付治具を、建物に取り付ける作業及び取り外す作業の負荷が軽減される。
また、足場つなぎ部材用取付治具を容易に再利用することができる。
【００４５】
上記の足場つなぎ部材用取付治具において、前記係合部は、鉤状のフック部であり、前記第２部材は、前記第１部材に対して閉じた状態において前記フック部と閉曲面を構成し、前記第１部材に対して開いた状態において前記フック部と開曲面を構成することとしてよい。
こうすることで、足場つなぎ部材用取付治具を建物の躯体から外れないように係合させた状態とその状態からの解除を簡単な構成により実現できる。
【００４６】
上記の足場つなぎ部材用取付治具において、前記第１部材の端部に前記接続部が設けられることとしてよい。
こうすることで、足場つなぎ部材用取付治具を建物に取り付ける際には、第１部材を固定した状態で作業できる。これにより、足場つなぎ部材用取付治具の取付の作業性を向上できる。
【００４７】
上記の足場つなぎ部材用取付治具において、前記係合部は、前記第１部材において前記接続部が設けられる端部とは反対側の端部に設けられることとしてよい。
こうすることで、足場つなぎ部材用取付治具を小型化することができる。
【００４８】
上記の足場つなぎ部材用取付治具において、前記第１部材に対し前記第２部材を閉じた状態でのロックが可能なロック機構を備えることとしてよい。
こうすることで、足場つなぎ部材用取付治具の建物への取り付けが外れないようにできる。これにより、足場と建物との接続を安定させることができる。
【００４９】
上記の足場つなぎ部材用取付治具において、前記第１部材と前記第２部材の回動軸となる固定軸部と、前記第１部材と前記第２部材の両者を貫通する貫通孔に挿通可能な固定ピンと、を備え、前記固定ピンを前記貫通孔に挿通した場合に、前記第１部材に対し前記第２部材が閉じた状態でロックされ、前記固定ピンを前記貫通孔から抜き取った場合に、前記第１部材に対し前記第２部材を閉じた状態のロックが解除されることとしてよい。
こうすることで、ロック機構を簡単な構成により実現できる。
【００５０】
上記の足場つなぎ部材用取付治具において、前記貫通孔は、前記係合部よりも前記接続部に近い位置に設けられることとしてよい。
こうすることで、第１部材と第２部材の回動状態のロック作業を足場に近い側で実行できる。これにより、建物の外側から足場つなぎ部材用取付治具の取付及び取外しを行うことが容易となる。
【００５１】
上記の足場つなぎ部材用取付治具において、前記第１部材と前記第２部材の少なくとも一部は、前記建物の外壁材の隙間に配置されることとしてよい。
こうすることで、建物の外壁材を損傷させることなく、足場と建物とを固定することができる。
【符号の説明】
【００５２】
Ｆ  足場
Ｆｂ  単管
Ｆｔ  足場板
１  取付治具
２  ベース部材（第１部材）
２Ａ  フック部（係合部）
２Ｂ  切欠き部
３  回動部材（第２部材）
３Ａ  フック開閉部
３Ｂ  連結部
４  接続部
５  固定軸部
５Ａ  貫通孔
５Ｂ  貫通孔
６  固定ピン挿通孔
６Ａ  貫通孔
６Ｂ  貫通孔
７  固定ピン
１０  壁つなぎ部材（足場つなぎ部材）
１１  嵌合部
１２  雌ねじ部
２０  壁パネル（外壁材）
２１  目地
２２  フレーム（躯体）
【図１】
2017180032.tif 000003
【図２】
2017180032.tif 000004
【図３】
2017180032.tif 000005
【図４】
2017180032.tif 000006
【図５】
2017180032.tif 000007
【図６】
2017180032.tif 000008
【図７】
2017180032.tif 000009
【図８】
2017180032.tif 000010
【図９】
2017180032.tif 000011